(57)【要約】      （修正有）【課題】一般の家具及び内装等に使用される板材であって、板材の重量を低減させても構造強度の強化可能であり、美感上も優れた板材を提供する。【解決手段】主体１０と、二つの面材料２０と、装飾シート３０とがある板材１であって、主体は、外枠１１を有し、前記外枠は、木条１１１から釘で作製され、各辺の外縁に面取り部１１２が設けられ、枠内に、全面的に蜂巣状構造板が結合され、面材料は、麦わら板であってもよく、装飾シートは、表面に木地の図柄があり、その大きさが、外枠の正面と各周辺を完全に覆うようになり、また、前記装飾シートは、ＰＶＣパネルであっても良い。  【選択図】図２
0003161746.tif 000002
【実用新案登録請求の範囲】
【請求項１】
主体と、二つの面材料と、装飾シートとからなる板材であって、
前記主体が、外枠を有し、その内部の全面に、蜂巣状構造板が結合され、該蜂巣状構造板の厚さが外枠の厚さより薄くしてあるため、蜂巣状構造板の表面が低くなり、上下に、段差が形成され、
前記面材料が、蜂巣状構造板の大きさに合わせて、前記段差に設置され、前記外枠の上面に一致するものであり、
前記装飾シートが、前記外枠の正面と各周辺を完全に覆うことからなることを特徴とする装飾シートと蜂巣状構造板とが結合された板材。
【請求項２】
主体と、面材料と、装飾シートとからなる板材であって、
前記主体が、内部の全面に蜂巣状構造板が結合された外枠を有し、
前記面材料が、前記外枠の大きさに相当する大きさを有するものであり、
前記装飾シートが、前記外枠の正面と各周辺を完全に覆うことができるものであることを特徴とする装飾シートと蜂巣状構造板とが結合された板材。
【請求項３】
主体の各辺に、円弧状や傾斜状の面取り部が形成されることを特徴とする請求項１又は２に記載の装飾シートと蜂巣状構造板とが結合された板材。
【請求項４】
外枠が、木条を釘で結合することにより、形成されてなることを特徴とする請求項１又は２に記載の装飾シートと蜂巣状構造板とが結合された板材。
【請求項５】
面材料が、麦わら板であることを特徴とする請求項１又は２に記載の装飾シートと蜂巣状構造板とが結合された板材。
【請求項６】
装飾シートの表面に、木地が形成されることを特徴とする請求項１又は２に記載の装飾シートと蜂巣状構造板とが結合された板材。
【請求項７】
装飾シートが、ＰＶＣ（ポリ塩化ビニル）パネルであることを特徴とする請求項１又は２に記載の装飾シートと蜂巣状構造板とが結合された板材。
【考案の詳細な説明】
【技術分野】
【０００１】
本考案は、新規な構造を有する板材に関するものであり、さらに詳しくは、環境保護に好適であり、軽量及び構造強度に優れた装飾シートと蜂巣状構造板とから構成された板材に関するものである。
【背景技術】
【０００２】
一般の家具や内装に使われる板材は、通常、ソリッドの木材や木屑から板材を形成した後、表面に装飾パネルを貼ることにより作製される。
【０００３】
しかし、上記ソリッドの板材は、重量が重くて、作製コストが高くなり、中空の板材で入れ替えると、構造強度が不足するという問題が発生する。
【０００４】
また、上記の従来の板材については、装飾パネルを貼る場合、正面や裏面及び周辺について、それぞれ、装飾パネルを貼りつけるが、熟練した技術を駆使したとしても、その境界において、多少、隙間が発生することが多い。前記の如き隙間が発生すると、板材全体の美感が悪くなり、また、長期間の間には、空気と接触すると、接着剤が剥離して、前記の貼られた装飾パネルが、隙間から剥離する恐れがある。
【考案の開示】
【考案が解決しようとする課題】
【０００５】
従って、本考案の主な課題は、一般の家具及び内装等に使用される板材であって、板材の重量を低減させても構造強度の強化可能であり、美感上も優れた板材を提供することにある。
【０００６】
また、本考案の他の課題は、環境保護にも適するものであり、経済性にも優れた板材を提供することにある。
【０００７】
本考案の更に他の課題は、板材全体の美感に優れた板材を提供することにある。
【課題を解決するための手段】
【０００８】
そこで、本考案者は、前記の本考案の課題を解決するため、鋭意検討を重ねた結果、板材を構成する主として蜂巣状構造板と装飾シートを用いることにより、前記課題を解決できることに着目し、かかる知見に基いて本考案に想到した。
【０００９】
すなわち、本考案によれば、複数の中空の蜂巣状構造板を用いることにより、大幅に、板材全体の重量を低減することができるにも拘らず、構造強度を強化することができ、重量と強度を両立可能な蜂巣状構造板と装飾シートの組み合せからなる板材を提供するものである。
【００１０】
また、本発明によれば、蜂巣状構造板を利用することにより材料コストを低減することができ、農業廃棄物である麦わらを材料とした利用をすることにより、環境保護の利点が得られる蜂巣状構造板と装飾シートとの組み合せからなる板材を提供することができる。
【００１１】
さらに、本考案によれば、装飾シートが、全体として、主体の正面及び各周辺に結合させることにより、曲がり角に隙間が発生することなく、板材全体の美感の向上可能な蜂巣状構造板と装飾シートとの組み合せからなる板材を提供するものである。
【００１２】
かくして、本考案によれば、
請求項１において、主体と、二つの面材料と、装飾シートとからなる板材であって、
前記主体が、外枠を有し、その内部の全面に、蜂巣状構造板が結合され、該蜂巣状構造板の厚さが外枠の厚さより薄くしてあるため、蜂巣状構造板の表面が低くなり、上下に、段差が形成され、前記面材料が、蜂巣状構造板の大きさに合わせて、前記段差に設置され、前記外枠の上面に一致するものであり、前記装飾シートが、前記外枠の正面と各周辺を完全に覆うことからなることを特徴とする装飾シートと蜂巣状構造板とが結合された板材が提供される。
【００１３】
請求項２の考案によれば、主体と、面材料と、装飾シートとからなる板材であって、前記主体が、内部の全面に蜂巣状構造板が結合された外枠を有し、前記面材料が、前記外枠の大きさに相当する大きさを有するものであり、前記装飾シートが、前記外枠の正面と各周辺を完全に覆うことができるものであることを特徴とする装飾シートと蜂巣状構造板とが結合された板材が提供される。
【００１４】
請求項３の考案によれば、主体の各辺に、円弧状や傾斜状の面取り部が形成されることを特徴とする請求項１又は２に記載の装飾シートと蜂巣状構造板とが結合された板材が提供される。
【００１５】
請求項４の考案によれば、外枠が、木条を釘で結合することにより、形成されてなることを特徴とする請求項１又は２に記載の装飾シートと蜂巣状構造板とが結合された板材が提供される。
【００１６】
請求項５の考案によれば、面材料が、麦わら板であることを特徴とする請求項１又は２に記載の装飾シートと蜂巣状構造板とが結合された板材が提供される。
【００１７】
請求項６の考案によれば、装飾シートの表面に、木地が形成されることを特徴とする請求項１又は２に記載の装飾シートと蜂巣状構造板とが結合された板材が提供される。
【００１８】
請求項７の考案によれば、装飾シートが、ＰＶＣ（ポリ塩化ビニル）パネルであることを特徴とする請求項１又は２に記載の装飾シートと蜂巣状構造板とが結合された板材が提供される。
【考案の効果】
【００１９】
本考案は、前記の如き構成からなることにより、後述するように、重量が大幅に低減されたにも拘らず、構造強度を向上させ、重量の軽量化と強度の向上とを両立させた板材を提供することができる。
【考案を実施するための最良の形態】
【００２０】
以下、図面を参照しながら、本考案の特徴や技術内容について、具体的に説明する。もっとも、それらの図面等は、参考や説明のためであり、本考案は、それらによって限定されるものではない。
【００２１】
図１及び図２を参照する。図１及び図２に示すように、本考案に係る板材１は、主体１０と、二つの面材料２０と、装飾シート３０とから構成される。主体１０は、外枠１１を有し、上記外枠１１か、木条１１１を利用して、釘で枠状に結合され、各辺に、円弧状や傾斜状の面取り部１１２が形成され、枠内に、全面的に蜂巣状構造板１２が結合される。また、蜂巣状構造板１２の高さが、外枠１１よりやや低くしてあるため、蜂巣状構造板１２が、外枠１１に結合する場合、蜂巣状構造板１２の上面及び下面が、外枠１１と、段差を形成し、面材料２０を結合すると、上記段差により、その表面が、外枠１１の表面に一致させることができる。また、面材料２０は、大きさが、蜂巣状構造板１２の大きさと一致する。また、面材料２０は、麦わら板から構成しても良い。装飾シート３０は、表面に、木地３１が形成され、その大きさが、外枠１１の正面と各周辺を完全に覆うことができ、また、上記装飾シート３０の材質としては、ＰＶＣ（ポリ塩化ビニル）パネルでもよい。
【００２２】
本考案によれば、図１と図３及び図４に示すように、面材料２０が、外枠１１に設置され、外枠１１の表面と蜂巣状構造板１２の表面との間に、段差が形成され、面材料２０が、蜂巣状構造板１２に結合（接着）されると、蜂巣状構造板１２の蜂巣状構造の孔部が封止される。また、主体１０に合わせて表面が平らの板材が構成される。そして、装飾シート３０は、まず、主体１０の正面と各周辺に接着剤４０を吹付け塗った後、真空においてブリケットする技術により、装飾シート３０の正面と各周辺に覆われ、外枠１１の面取り部１１２により、装飾シート３０が密着に貼り付けられ、装飾シート３０が波状になることを防止できる。また、装飾シート３０が結合された後、余剰の部分を切り整えることにより、板材１が構成される。
【００２３】
また、蜂巣状構造板１２は、外枠１１と、高さが同一であっても良く、このとき、面材料２０は、大きさが、外枠１１に合わせて、面材料２０を覆って外枠１１に結合すれば、同じように、主体１０の正面と裏面に、平坦な表面が構成される。
【００２４】
上記の具体実施例によれば、次の利点が得られる。
１．主体１０の外枠１１に、蜂巣状構造板１２が結合され、蜂巣状構造板１２に、多数の中空の蜂巣状孔部が散在し、上記ハチの巣の孔部により、板材１全体の重量が大幅に低減され、また、蜂巣状構造板１２に存在する蜂巣状孔部により、構造強度が向上し、そのため、上記構造によれば、板材１の重量が大幅に低減しても、その強度が維持され、強度と軽量を両立できる板材１を提供できる。
２．蜂巣状構造板１２が、ソリッドではないため、材料コストが低くなり、また、面材料２０として、農業廃棄物である麦わらからなる板を利用することにより、上記構造によれば、環境保護の利点を得ることもできる。
３．装飾シート３０は、全体として、主体１０の正面と各周辺に結合されるため、曲がり角に隙間が発生することを防止でき、板材１全体の美感を失わず、また、装飾シート３０が、長時間に空気と接触することにより剥離する恐れが低減される。
【００２５】
以上は、本考案のより良い一実施形態であり、本考案は、それによって限定されるものではなく、本考案に係わる考案登録請求の範囲や明細書の内容に基づいて行った均等の変更や修正は、全てが、本考案の範囲内に含まれる。
【図面の簡単な説明】
【００２６】
【図１】本考案の一実施形態による板材の斜視図である。
【図２】本考案の一実施形態による板材の斜視分解図である。
【図３】本考案の一実施形態による板材の面材料が外枠に設置された時の状態を示す説明図である。
【図４】本考案の一実施形態による板材の完成状態を示す断面図である。
【符号の説明】
【００２７】
１      板材
１０    主体
１１    外枠
１１１  木条
１１２  面取り部
１２    蜂巣状構造板
２０    面材料
３０    装飾シート
３１    図柄
４０    接着剤
【図１】
0003161746.tif 000003
【図２】
0003161746.tif 000004
【図３】
0003161746.tif 000005
【図４】
0003161746.tif 000006